(57)【要約】【課題】簡易な構成でありながら、太陽の高度が変化しても、効率よく採光でき、建築物内の所望する場所の明るさの向上を図ることができる採光装置を提供すること。【解決手段】ガラス窓５１を有する家屋５０に設置される採光装置１に、ガラス窓５１に対向配置され、光が透過するように構成されており、光が透過するときに透過する光の少なくとも一部の進行方向を変更する光学シート６と、光学シート６とガラス窓５１との間の間隔を変更するように、光学シート６を変位させる揺動機構５とを備える。【選択図】図８
2015185464.tif 000002
【特許請求の範囲】
【請求項１】
窓を有する建築物に設置されるように構成される採光装置であって、
前記採光装置が前記建築物に設置されたときに前記窓に対向配置され、光が透過するように構成されており、光が透過するときに透過する光の少なくとも一部の進行方向を変更する光学シートと、
前記採光装置が前記建築物に設置された状態で、前記光学シートと前記窓との間の間隔を変更するように、前記光学シートを変位させる変位機構とを備えていることを特徴とする、採光装置。
【請求項２】
前記光学シートを支持する支持部を備え、
前記変位機構は、前記支持部と、前記窓または前記建築物における前記窓の周縁部との間の間隔を変更することで、前記光学シートを変位させ、前記光学シートと前記窓との間の間隔を変更するように構成されていることを特徴とする、請求項１に記載の採光装置。
【請求項３】
前記光学シートは、前記採光装置が前記建築物に設置された状態で、上下方向に延びるように配置され、
前記変位機構は、前記光学シートの上端部を支点として、前記光学シートを揺動させることを特徴とする、請求項２に記載の採光装置。
【請求項４】
前記支持部は、
前記光学シートの上端部を支持する第１支持部と、
前記光学シートの下端部を支持する第２支持部とを備え、
前記変位機構は、前記第２支持部と、前記窓または前記建築物における前記窓の周縁部との間の間隔を変更することで、前記光学シートを、前記第１支持部を支点として揺動させ、前記光学シートと前記窓との間の間隔を変更するように構成されていることを特徴とする、請求項３に記載の採光装置。
【請求項５】
前記光学シートは、前記採光装置が前記建築物に設置された状態で、上下方向に延びるように配置され、
前記変位機構は、前記光学シートをスライド移動させることを特徴とする、請求項２に記載の採光装置。
【請求項６】
前記支持部は、前記光学シートの上端部を支持する第１支持部を備え、
前記変位機構は、前記第１支持部と、前記窓または前記建築物における前記窓の周縁部との間の間隔を変更することで、前記光学シートをスライド移動させ、前記光学シートと前記窓との間の間隔を変更するように構成されていることを特徴とする、請求項５に記載の採光装置。
【発明の詳細な説明】
【技術分野】
【０００１】
本発明は、採光装置、詳しくは、家屋などの建築物の採光に用いられる採光装置に関する。
【背景技術】
【０００２】
従来より、建築物の室内の明るさなどの環境を調整するために、太陽光を室内に導入すること、いわゆる、採光（太陽光照明、昼光照明とも呼ばれる。）が知られている。しかるに、近年、環境負荷低減の観点から、より効率的に太陽光を室内に導入し、日中における人工照明の利用を低減することが望まれている。
【０００３】
そこで、光の屈折、回折または反射などの光学的作用により、光の進行方向を変更可能な光学部材を、窓などに取り付け、太陽光を室内に効率的に導入し、室内の明るさの向上を図ることが種々検討されている。
【０００４】
そのような光学部材として、例えば、上下方向に所定ピッチで繰り返し作製される凹状溝に、充填剤が充填されることにより形成される反射面を有する採光シートや（例えば、特許文献１参照）、反射面を有する棒状の要素部材が、上下方向に並ぶように複数配置される太陽光照明器が提案されている（例えば、特許文献２参照）。
【０００５】
そして、そのような採光シートおよび太陽光照明器は、例えば、家屋の窓などに設置され、窓を介して室外から入射した太陽光を、反射面が反射することにより採光する。
【先行技術文献】
【特許文献】
【０００６】
【特許文献１】特開２０１２−２５５９５１号公報
【特許文献２】特開２００９−２６６７９４号公報
【発明の概要】
【発明が解決しようとする課題】
【０００７】
しかるに、特許文献１の採光シートおよび特許文献２の太陽光照明器のそれぞれでは、屋内の所望する場所の明るさを向上させるためや、好適な採光性を確保するために、反射面の傾き（延びる方向）が調整される。
【０００８】
例えば、特許文献１の採光シートでは、凹状溝の形状を変更することにより、反射面の傾きを調整し、特許文献２の太陽光照明器では、要素部材の形状を変更することにより、反射面の傾きを調整している。
【０００９】
しかし、太陽の高度は、日中において時間の経過とともに変化し、また、日にち（季節）が異なれば、同時刻であっても相異する。つまり、太陽光の入射角度は、日中における時刻および日にち（季節）により変化する。
【００１０】
そのため、特許文献１に記載の採光シートおよび特許文献２の太陽光照明器のそれぞれは、太陽の高度が特定の範囲内であるときに、太陽光を効率よく採光して、屋内の所望する場所の明るさを向上させることができるが、太陽の高度が特定の範囲外となると、効率よく採光できず、屋内の所望する場所の明るさを十分に確保することができない場合がある。
【００１１】
一方、特許文献２の太陽光照明器では、複数の要素部材を回転可能に構成し、それら要素部材を連動させることにより、反射面の傾きを、太陽の高度の変化に応じて変更する構成が提案されている。しかし、そのような構成、つまり、各要素部材が回転可能かつ複数の要素部材が連動する構成は、複雑であって、製造コストが高いという不具合がある。
【００１２】
そこで、本発明の目的は、簡易な構成でありながら、太陽の高度が変化しても、効率よく採光でき、建築物内の所望する場所の明るさの向上を図ることができる採光装置を提供することにある。
【課題を解決するための手段】
【００１３】
上記した目的を達成するために、本発明の採光装置は、窓を有する建築物に設置されるように構成される採光装置であって、前記採光装置が前記建築物に設置されたときに前記窓に対向配置され、光が透過するように構成されており、光が透過するときに透過する光の少なくとも一部の進行方向を変更する光学シートと、前記採光装置が前記建築物に設置された状態で、前記光学シートと前記窓との間の間隔を変更するように、前記光学シートを変位させる変位機構とを備えていることを特徴としている。
【００１４】
このような構成によれば、変位機構は、採光装置が建築物に設置された状態で、光学シートと窓との間の間隔を変更するように、光学シートを変位できる。
【００１５】
そのため、日中における時刻および日にち（季節）の変化に伴い、太陽の高度が変化しても、その時々の太陽の高度に応じて、光学シートを、窓に対して好適な位置に適宜変位させることができる。
【００１６】
その結果、簡易な構成でありながら、太陽の高度が変化しても、効率よく採光でき、建築物内の所望する場所の明るさの向上を図ることができる。
【００１７】
また、採光装置は、前記光学シートを支持する支持部を備え、前記変位機構は、前記支持部と、前記窓または前記建築物における前記窓の周縁部との間の間隔を変更することで、前記光学シートを変位させ、前記光学シートと前記窓との間の間隔を変更するように構成されていることが好適である。
【００１８】
このような構成によれば、変位機構は、光学シートを支持する支持部と、窓（または建築物における窓の周縁部）との間隔を変更することにより、光学シートと窓との間の間隔を変更する。そのため、光学シートを、太陽の高度に対応するように、窓に対して好適な位置に安定して変位させることができる。
【００１９】
また、前記光学シートは、前記採光装置が前記建築物に設置された状態で、上下方向に延びるように配置され、前記変位機構は、前記光学シートの上端部を支点として、前記光学シートを揺動させることが好適である。
【００２０】
このような構成によれば、変位機構は、光学シートを変位するときに、光学シートの上端部を支点として、光学シートを揺動させる。そのため、太陽光の入射角度に対する、光学シートの傾きを変更することができる。
【００２１】
その結果、太陽の高度が変化しても、太陽の高度の変化に応じて光学シートを揺動させることにより、光の進行方向を確実に変更することができ、効率よく安定して採光することができる。
【００２２】
また、前記支持部は、前記光学シートの上端部を支持する第１支持部と、前記光学シートの下端部を支持する第２支持部とを備え、前記変位機構は、前記第２支持部と、前記窓または前記建築物における前記窓の周縁部との間の間隔を変更することで、前記光学シートを、前記第１支持部を支点として揺動させ、前記光学シートと前記窓との間の間隔を変更するように構成されていることが好適である。
【００２３】
このような構成によれば、変位機構は、光学シートを変位させるときに、第２支持部と、窓（または建築物における窓の周縁部）との間の間隔を変更する。これによって、光学シートは、第１支持部を支点として揺動し、光学シートと窓との間の間隔が変更される。つまり、光学シートを、第１支持部を支点として、確実に揺動させることができる。
【００２４】
前記光学シートは、前記採光装置が前記建築物に設置された状態で、上下方向に延びるように配置され、前記変位機構は、前記光学シートをスライド移動させることが好適である。
【００２５】
このような構成によれば、変位機構は、光学シートを変位させるときに、光学シートをスライド移動させる。そのため、光学シートのスライド方向において、光学シートと窓との相対的な位置関係を確実に変更することができる。
【００２６】
その結果、太陽の高度が変化しても、太陽の高度の変化に応じて光学シートをスライド移動させることにより、光学シートを窓に対して好適な位置に配置でき、建築物内の所望する場所の明るさの向上を確実に図ることができる。
【００２７】
前記支持部は、前記光学シートの上端部を支持する第１支持部を備え、前記変位機構は、前記第１支持部と、前記窓または前記建築物における前記窓の周縁部との間の間隔を変更することで、前記光学シートをスライド移動させ、前記光学シートと前記窓との間の間隔を変更するように構成されていることが好適である。
【００２８】
このような構成によれば、変位機構は、光学シートを変位させるときに、第１支持部と、窓（または建築物における窓の周縁部）との間の間隔を変更する。これによって、光学シートの上端部は、スライド移動し、光学シートと窓との間の間隔が変更される。つまり、光学シートを、確実にスライド移動させることができる。
【発明の効果】
【００２９】
本発明の採光装置によれば、簡易な構成でありながら、太陽の高度が変化しても、効率よく採光でき、建築物内の所望する場所の明るさの向上を図ることができる。
【図面の簡単な説明】
【００３０】
【図１】図１は、本発明の採光装置の第１実施形態の斜視図を示す。
【図２】図２は、図１に示す光学シートに係る単位フィルムの斜視図である。
【図３】図３は、図２に示す単位フィルムが積層されて形成される積層体の側面に支持体が貼り付けられた後、積層体の側面層が切断される工程を説明するための説明図である。
【図４】図４は、図３に示す積層体の側面に、支持体ロールから引き出された支持体が貼り付けられた後、積層体の側面層が連続的に切断される工程を説明するための説明図である。
【図５】図５は、図４に示す採光層および支持体の斜視図である。
【図６】図６Ａは、図１に示す採光装置が家屋に設置された状態を説明するための概略説明図であり、光学シートが上下方向に沿う基準状態を示す。図６Ｂは、図６Ａに示す採光装置の揺動機構の平面図である。
【図７】図７Ａは、図１に示す採光装置が家屋に設置された状態を説明するための概略説明図であり、光学シートがガラス窓に近づくように傾斜した第１傾斜状態を示す。図７Ｂは、図７Ａに示す採光装置の揺動機構の平面図である。
【図８】図８Ａは、図１に示す採光装置が家屋に設置された状態を説明するための概略説明図であり、光学シートがガラス窓から離れるように傾斜した第２傾斜状態を示す。図８Ｂは、図８Ａに示す採光装置の揺動機構の平面図である。
【図９】図９Ａは、本発明の採光装置の第２実施形態が家屋に設置された状態を説明するための概略説明図であり、スライド機構が近傍状態にあるときを示す。図９Ｂは、図９Ａに示す採光装置のスライド機構の平断面図である。図９Ｃは、図９Ｂに示す１対のレールユニットのうち幅方向の他方側のレールユニットの正面図である。
【図１０】図１０Ａは、図９Ａに示す採光装置が家屋に設置された状態を説明するための概略説明図であり、スライド機構が遠方状態にあるときを示す。図１０Ｂは、図１０Ａに示す採光装置のスライド機構の平断面図である。
【図１１】図１１Ａは、本発明の採光装置の第３実施形態および第４実施形態に係る単位フィルムの斜視図である。図１１Ｂは、図１１Ａに示す単位フィルムが積層されて形成される積層体から切り出される採光層および支持体の斜視図である。
【発明を実施するための形態】
【００３１】
１．採光装置の構成
採光装置１は、図１に示すように、ロールスクリーンとして構成され、フレーム２と、支持部の一例としての１対の支持軸３と、光学シート６と、変位機構の一例としての揺動機構５とを備えている。
【００３２】
なお、以下の説明において、採光装置１の方向に言及するときは、フレーム２が配置されている方を、採光装置１の上方とし、その反対を採光装置１の下方とする。
【００３３】
フレーム２は、上下方向と直交する幅方向に互いに間隔を隔てて配置される１対の側壁１４と、１対の側壁１４の上端部間に架設される連結壁１５とを備えている。
【００３４】
１対の側壁１４のそれぞれは、幅方向からみて、上下方向に延びる略矩形の板状に形成されている。連結壁１５は、幅方向に延びる平面視略矩形の板状に形成されている。
【００３５】
１対の支持軸３は、上下方向に互いに間隔を隔てて配置されており、第１支持部の一例としての第１支持軸１６と、第２支持部の一例としての第２支持軸１７とを備えている。
【００３６】
第１支持軸１６は、１対の支持軸３のうち上側の支持軸３であり、光学シート６の巻取軸として作用する。第１支持軸１６は、幅方向に延びる略円柱形状に形成されている。第１支持軸１６は、１対の側壁１４の間に配置されており、その両端部のそれぞれが、１対の側壁１４のそれぞれに回転可能に支持されている。
【００３７】
第２支持軸１７は、１対の支持軸３のうち下側の支持軸３であり、光学シート６のウェイト軸として作用する。第２支持軸１７は、幅方向に延びる略円柱形状に形成されている。第２支持軸１７の外径は、第１支持軸１６の外径よりも小さい。
【００３８】
光学シート６は、可撓性を有するシート状（フィルム状）に形成されており、上下方向および幅方向の両方向と直交する前後方向から見て、矩形状に形成されている。
【００３９】
また、光学シート６の上端部は、幅方向に沿って第１支持軸１６に支持され、光学シート６の下端部は、幅方向に沿って第２支持軸１７に支持されている。そのため、光学シート６は、第１支持軸１６が回転することにより、第１支持軸１６に巻回される収納状態（図示せず）と、収納状態から下方に向かって繰り出される繰出状態とに移動するように構成されている。なお、本実施形態では、図１、図６Ａ〜図８Ｂにおいて、光学シート６の繰出状態のみを示す。繰出状態の光学シート６は、第１支持軸１６から第２支持軸１７の重量により垂れ下がっている。
【００４０】
光学シート６の幅方向の寸法は、例えば、１５ｃｍ以上２００ｃｍ以下であり、光学シート６の上下方向の寸法は、例えば、５０ｃｍ以上３００ｃｍ以下である。光学シート６の厚み（前後方向の寸法）は、例えば、５０μｍ以上３００μｍ以下である。つまり、前後方向は、光学シートの厚み方向の一例であって、前方は光学シートの厚み方向の一方、後方は光学シートの厚み方向の他方の一例である。
【００４１】
光学シート６は、光を透過するように構成されており、図６Ａに示すように、採光層７と、１対の支持体８とを備えている。
【００４２】
採光層７は、光学シート６の前後方向の略中央部分であって、複数の透明層９と、複数の空気層１０とを備えている。なお、第１実施形態では、採光層７は、透明層９および空気層１０のみからなり、透明層９と空気層１０とは、光学シート６が上下方向に沿う基準状態（後述）で、上下方向に連続するように順次繰り返して配置されている。なお、以下の光学シート６の説明では、光学シート６の基準状態を基準として説明する。
【００４３】
複数の透明層９は、上下方向に互いに僅かな間隔（空気層１０）を隔てて並列配置されている。複数の透明層９のそれぞれは、図５に示すように、略杆状に形成され、採光層７の幅方向の全体にわたって延びている。また、透明層９の上面および下面は、図６Ａに示すように、前後方向に沿っている。
【００４４】
透明層９は、光を透過するように構成されており、加工の容易性の観点から好ましくは、透明の樹脂材料から形成される。
【００４５】
透明の樹脂材料としては、例えば、公知の樹脂材料などが挙げられ、樹脂材料としては、例えば、ポリエステル（例えば、ポリエチレンテレフタレート（ＰＥＴ））、ポリオレフィン（例えば、ポリエチレン（ＰＥ）、ポリプロピレン（ＰＰ））、ポリカーボネート（ＰＣ）、ポリ塩化ビニル、アクリル樹脂、ポリスチレン（ＰＳ）、エポキシ樹脂、シリコーン樹脂、フッ素樹脂、ウレタン樹脂、セルロース、ポリビニルブチラール（ＰＶＢ）、エチレン−酢酸ビニル共重合体（ＥＶＡ）などが挙げられる。
【００４６】
このような透明の樹脂材料のなかでは、好ましくは、ポリオレフィンおよびポリ塩化ビニルが挙げられ、さらに好ましくは、ポリプロピレンが挙げられる。このような樹脂材料は、単独で使用してもよく、２種以上併用することもできる。
【００４７】
このような透明層９の上下方向の寸法は、例えば、２０μｍ以上、好ましくは、３０μｍ以上、例えば、５００μｍ以下、好ましくは、２００μｍ以下であり、透明層９の前後方向の寸法は、例えば、２０μｍ以上、好ましくは、５０μｍ以上、例えば、５００μｍ以下、好ましくは、４００μｍ以下である。また、透明層９の上下方向の寸法は、透明層９の前後方向の寸法１００％に対して、例えば、４０％以上、採光性の観点から好ましくは、５０％以上、例えば、２５０％以下、採光性の観点から好ましくは、２００％以下である。
【００４８】
また、透明層９の光透過率は、透明層９の厚みが１００μｍの場合に、波長４４０〜６００ｎｍの光に対して、例えば、８０％以上、好ましくは、９０％以上、さらに好ましくは、９２％以上であり、例えば、９８％以下である。
【００４９】
また、透明層９の相対屈折率は、空気の屈折率に対して、例えば、１．３以上、好ましくは、１．４以上、例えば、１．８以下、好ましくは、１．６５以下である。なお、屈折率は、プリズムカプラにより測定することができる。
【００５０】
複数の空気層１０のそれぞれは、複数の透明層９において互いに隣り合う透明層９の間の隙間として形成されている。詳しくは、空気層１０は、互いに隣り合う透明層９のうち、下側の透明層９の上面と、上側の透明層９の下面とにより区画されている。そのため、複数の空気層１０のそれぞれは、採光層７の幅方向の全体にわたって延びており、透明層９と空気層１０との境界３８は、幅方向および前後方向に沿っている。
【００５１】
なお、透明層９および空気層１０は、水平方向（幅方向および前後方向）に延びているが、透明層９および空気層１０は、水平方向に対して、±１０°程度傾いていてもよい。
【００５２】
このような空気層１０の上下方向の寸法は、透明層９の上下方向の寸法よりも小さく、例えば、０．１μｍ以上、好ましくは、１μｍ以上、例えば、５０μｍ以下、好ましくは、１０μｍ以下である。また、空気層１０の上下方向の寸法は、透明層９の上下方向の寸法に対して、例えば、１／５０００以上、好ましくは、１／２００以上、例えば、１／２以下、好ましくは、１／１０以下である。また、空気層１０の前後方向の寸法は、透明層９の前後方向の寸法と同様である。
【００５３】
１対の支持体８は、光学シート６の前後両端部であって、採光層７を前後両側から挟んでいる。なお、支持体８は、採光層７の片側（一方面）だけに設けられてもよい。
【００５４】
１対の支持体８のそれぞれは、基材１２と、粘着剤層１１とを備えている。
【００５５】
基材１２は、支持体８の外側部分であって、光を透過するように構成されている。基材１２としては、例えば、ＰＥＴフィルムなどの基材、ポリエステルなどの生地、フッ素系ポリマー（例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体など）からなる低接着性基材、無極性ポリマー（例えば、ポリエチレン、ポリプロピレンなどのオレフィン系樹脂など）からなる低接着性基材などが挙げられる。
【００５６】
このような基材１２のなかでは、好ましくは、ＰＥＴフィルム、ポリエステルなどの生地、および、無極性ポリマーからなる低接着性基材が挙げられ、さらに好ましくは、ＰＥＴフィルムが挙げられる。
【００５７】
このような基材１２の前後方向の寸法は、例えば、１０μｍ以上、好ましくは、３０μｍ以上、例えば、１００μｍ以下、好ましくは、５０μｍ以下である。また、基材１２の光透過率は、基材１２の前後方向の寸法が５０μｍの場合に、波長４４０〜６００ｎｍの光に対して、例えば、８５％以上、好ましくは、９０％以上、さらに好ましくは、９２％以上であり、例えば、９８％以下である。
【００５８】
粘着剤層１１は、支持体８の内側部分であって、基材１２と採光層７との間に介在されている。これによって、採光層７と基材１２とは、接着されている。
【００５９】
粘着剤層１１を形成する粘着剤としては、例えば、エポキシ系粘着剤、シリコーン系粘着剤、アクリル系粘着剤、紫外線硬化型粘着剤などの公知の粘着剤が挙げられる。また、粘着剤は、光を透過することが好ましい。また、粘着剤層１１は、公知の両面粘着テープから構成することもできる。
【００６０】
このような粘着剤のなかでは、好ましくは、アクリル系粘着剤が挙げられる。このような粘着剤は、単独で使用してもよく、２種以上併用することもできる。
【００６１】
粘着剤層１１の前後方向の寸法は、例えば、１μｍ以上、好ましくは、５μｍ以上、例えば、１００μｍ以下、好ましくは、４０μｍ以下である。なお、基材１２自体に粘着性がある場合は、支持体８において粘着剤層１１は不要である。
【００６２】
このような光学シート６を製造するには、図２に示すように、まず、透明層９からなる単位フィルム３７を複数枚調製する。このような単位フィルム３７を調製するには、例えば、透明層９からなる加工シートを調製した後、その加工シートから所定の形状の単位フィルム３７を切り出す。加工シートから単位フィルム３７を切り出す方法としては、例えば、裁断、打ち抜きなどの公知の加工方法が挙げられる。
【００６３】
単位フィルム３７の形状は特に制限されず、単位フィルム３７は、上記の切り出し方法により、単位フィルム３７の厚み方向から見て、例えば、多角形または円形状、好ましくは、円形状となるように形成される。
【００６４】
また、単位フィルム３７のサイズは、使用目的などに応じて適宜変更されるが、単位フィルム３７が厚み方向から見て円形状である場合、直径が、例えば、１０ｃｍ〜１ｍ（１００ｃｍ）であり、加工性の観点から好ましくは、１０ｃｍ〜５０ｃｍである。
【００６５】
このような単位フィルム３７を、複数枚、例えば、３００枚以上、好ましくは、１００００枚以上、例えば、６００００枚以下、好ましくは、３００００枚以下準備する。
【００６６】
単位フィルム３７を複数枚準備するには、例えば、加工シートを、複数の単位フィルム３７が切り出し可能となるように大きく形成し、その加工シートから単位フィルム３７を複数枚切り出してもよく、加工シートを複数枚調製して、各加工シートから１枚ずつ単位フィルム３７を切り出してもよい。なお、複数の単位フィルム３７のそれぞれは、好ましくは、同一形状およびサイズに形成される。
【００６７】
次いで、図３に示すように、複数の単位フィルム３７を、粘着剤層を挟むことなく、単位フィルム３７の厚み方向に積層して、積層体３１を調製する。
【００６８】
より具体的には、複数の単位フィルム３７が厚み方向に順次重なるように、複数の単位フィルム３７を積層する。つまり、単位フィルム３７の厚み方向と、積層体３１の積層方向とは同一方向である。
【００６９】
ここで、積層体３１において、積層方向に互いに隣り合う単位フィルム３７の間には、僅かな空気が介在しており、それが空気層１０として供され、互いに隣り合う単位フィルム３７を区画している。
【００７０】
なお、図３では、便宜上、複数の単位フィルム３７の枚数が省略されており、積層体３１が１８枚の単位フィルム３７からなるように記載しているが、実際には、積層体３１は、例えば、３００枚〜６００００枚、好ましくは、１００００枚〜３００００枚の単位フィルム３７が積層されて形成されている。
【００７１】
また、各単位フィルム３７が同一形状およびサイズに形成されている場合、複数の単位フィルム３７は、積層方向に投影したときに、それらの外周端縁が互いに一致するように積層される。
【００７２】
以上によって、積層方向に延びる柱状（ブロック状）の積層体３１が形成される。例えば、単位フィルム３７が厚み方向から見て円形である場合、円柱状の積層体３１が形成される。積層体３１の高さ（積層方向長さ）は、例えば、１ｃｍ以上２００ｃｍ以下である。
【００７３】
次いで、積層体３１の側面３２（積層方向に沿って延びる表面）に、積層方向に沿うように支持体８を貼り付けた後、支持体８が貼り付けられた積層体３１の側面層３３を、複数の単位フィルム３７が積層体３１の積層方向に並列するように切断する。
【００７４】
積層体３１の側面層３３を切断する切断方法としては、積層体３１から、支持体８に支持された側面層３３を切り出せれば特に限定されない。
【００７５】
このような切断方法のなかでは、生産性の観点から、積層体３１を円柱状に形成し、図４に示すように、切削装置４０により連続的に、積層体３１の側面層３３を切り出す方法が好ましい。
【００７６】
切削装置４０は、回転軸４１と、１対の保持部材４２と、切削刃３５とを備えている。
【００７７】
回転軸４１は、略円柱形状であり、その軸線を中心として回転可能に構成されている。回転軸４１には、長尺かつ平帯状の支持体８が巻回される。詳しくは、長尺かつ平帯状の支持体８は、粘着剤層１１が基材１２に対して回転軸４１の径方向内側に位置するように、回転軸４１に渦巻き状に巻回される。これによって、支持体８は、回転軸４１を中心とする支持体ロール４５として構成される。なお、基材１２における粘着剤層１１と反対側の表面には、剥離処理層（図示せず）が設けられている。剥離処理層による基材１２の剥離力は、適宜調整される。
【００７８】
支持体ロール４５では、回転軸４１の径方向において、支持体８が隣接するように配置され、粘着剤層１１と基材１２とが順次繰り返して配置されている。また、上記したように、基材１２における粘着剤層１１と反対側の表面には剥離処理層が設けられるので、回転軸４１の径方向において、互いに隣り合う支持体８の間、詳しくは、径方向外側に配置される支持体８の粘着剤層１１と、径方向内側に配置される支持体８の基材１２との間には、剥離処理層が介在される。
【００７９】
１対の保持部材４２は、支持体ロール４５に対して、支持体ロール４５の径方向に間隔を空けて配置されている。１対の保持部材４２のそれぞれは、略円板形状であり、その軸線を中心として回転可能に構成されている。
【００８０】
また、１対の保持部材４２は、保持部材４２の軸線方向に互いに間隔を空けて配置されている。そして、１対の保持部材４２は、略円柱形状の積層体３１を積層方向の両側から加圧して、積層体３１を保持する。加圧条件としては、積層体３１に対する積層方向の一方側（他方側）からの圧力が、例えば、０．０１ＭＰａ以上１０ＭＰａ以下である。なお、各保持部材４２は、積層体３１を保持した状態において、積層体３１と軸線が一致するように配置される。
【００８１】
切削刃３５は、１対の保持部材４２に保持される積層体３１の側面３２に対して、積層方向に沿うように配置されており、切削刃３５の先端が、積層体３１の側面３２に略接線方向から接触している。
【００８２】
また、切削刃３５は、切断工程の進行により積層体３１の径が小さくなるに伴って、切削刃３５の先端が積層体３１の側面３２に接触した状態を維持したまま、積層体３１の軸線に近づくように構成されている。
【００８３】
このような切削装置４０により、積層体３１の側面層３３を連続的に切り出すには、まず、支持体ロール４５から引き出した支持体８を、１対の保持部材４２に保持される積層体３１の側面３２に貼り付ける。
【００８４】
より詳しくは、引き出された支持体８の粘着剤層１１が積層体３１の側面３２に接着するように、支持体８を積層体３１の接線方向に向かって引き回し、積層体３１における中心角が、例えば、９０°〜２７０°の範囲、好ましくは、１２０°〜２４０°の範囲の積層体３１の側面３２に貼り付ける。
【００８５】
次いで、１対の保持部材４２が、切削装置４０が備えるモータなどの駆動源からの駆動力により、保持部材４２の軸線方向一方（図５における紙面手前側）から見て反時計回り方向に回転駆動する。
【００８６】
そうすると、１対の保持部材４２に保持される積層体３１が、軸線を中心として回転するとともに、支持体ロール４５が回転軸４１の軸線を中心として従動する。
【００８７】
これによって、支持体８が貼り付けられた積層体３１の側面層３３が、切削刃３５によって、かつら剥きのように連続的に切り出される。なお、切り出される側面層３３の厚みは、積層体３１を切断する際の、積層体３１に対する切削刃３５の配置および角度などにより適宜調整できる。
【００８８】
以上によって、図５に示すように、積層体３１から連続的に、一方面に支持体８が貼り付けられた側面層３３、つまり、一方面に支持体８が貼り付けられた採光層７が、積層体３１から長尺かつ平帯状に切り出される。
【００８９】
次いで、採光層７の他方面にも支持体８を貼り付ける。詳しくは、支持体８を別途準備し、その支持体８の粘着剤層１１を、採光層７の他方面に接着させる。
【００９０】
これによって、図６Ａに示すように、１対の支持体８が採光層７を挟むように、採光層７に貼り付けられ、光学シート６が調製される。なお、支持体８を、採光層７の片側だけに設ける場合、採光層７の他方面には支持体８を貼り付けない。
【００９１】
その後、光学シート６を、所定の形状およびサイズにカットする。光学シート６をカットする方法としては、例えば、裁断、打ち抜きなどの公知の加工方法が挙げられる。
【００９２】
揺動機構５は、図１および図７Ｂに示すように、第２支持軸１７に対して後側に隣接配置され、第２支持軸１７の幅方向の略中央に連結されている。揺動機構５は、図７Ｂに示すように、連結部１８と、伸縮部２０と、着脱部１９とを備えている。揺動機構５は、詳しくは後述するが、着脱部１９が相対的に第２支持軸１７の近くに配置される第１状態と、図８Ｂに示すように、着脱部１９が相対的に第２支持軸１７から遠くに配置される第２状態との間を連続的に変位するように構成されている。そこで、以下の揺動機構５の説明では、図１および図７Ｂに示す第１状態を基準として説明する。
【００９３】
揺動機構５は、第１状態において、平面視略クランク状を有している。
【００９４】
連結部１８は、揺動機構５における基端部であって、第２支持軸１７の幅方向の略中央に連結されている。連結部１８は、軸部２２と、ボール部２１とを一体に有している。
【００９５】
軸部２２は、連結部１８の前方部分であり、前後方向に延びる略円柱形状を有している。そして、軸部２２の前端部は、第２支持軸１７の幅方向の略中央に接続されている。
【００９６】
ボール部２１は、連結部１８の後方部分であり、略球状に形成されている。ボール部２１の外径は、軸部２２の外径よりも大きい。そして、ボール部２１は、その中心が軸部２２の中心軸線と一致するように、軸部２２の後端部（遊端部）に接続されている。
【００９７】
伸縮部２０は、揺動機構５における途中部であって、連結部１８のボール部２１に対して幅方向の他方に配置されている。伸縮部２０は、進退ガイド部２３と、進退部２４とを備えている。
【００９８】
進退ガイド部２３は、ボール受部２５と、シリンダ部２６とを一体に有している。
【００９９】
ボール受部２５は、進退ガイド部２３の幅方向の一方部分であって、幅方向の一方に向かって開放される椀状に形成されている。ボール受部２５の内径は、ボール部２１の外径と略同じである。
【０１００】
シリンダ部２６は、進退ガイド部２３の幅方向の他方部分であって、幅方向に延びる略円筒形状を有している。また、シリンダ部２６は、その中心軸線が、ボール受部２５の中心と一致するように、ボール受部２５の幅方向の他端部から幅方向の他方に向かって延びている。
【０１０１】
そして、進退ガイド部２３は、ボール受部２５がボール部２１を離脱不能かつボール部２１の周面に沿って移動可能に受け入れることにより、ボール部２１の中心を支点として揺動（首振り）可能に構成されている。つまり、ボール部２１とボール受部２５とはボールジョイントとして機能する。
【０１０２】
進退部２４は、ピストン部２７と、ボール部２８とを一体に有している。
【０１０３】
ピストン部２７は、進退部２４の幅方向の一方部分であって、幅方向に延びる略円柱形状に形成されている。ピストン部２７の外径は、シリンダ部２６の内径と略同じである。
【０１０４】
ボール部２８は、進退部２４の幅方向の他方部分であって、略球状に形成されている。ボール部２８の外径は、ピストン部２７の外径よりも大きく、連結部１８のボール部２１と略同じである。また、ボール部２８は、その中心がピストン部２７の中心軸線と一致するように、ピストン部２７の幅方向の他端部に接続されている。
【０１０５】
そして、進退部２４は、ピストン部２７がシリンダ部２６に進退可能に挿入されることにより、進退ガイド部２３に支持されている。なお、進退部２４は、図示しない規制部により、進退ガイド部２３からの離脱が規制されている。
【０１０６】
着脱部１９は、揺動機構５における遊端部であって、進退部２４のボール部２８に対して後方に配置されている。着脱部１９は、ボール受部２９と、固定部３０とを備えている。
【０１０７】
ボール受部２９は、着脱部１９の前方部分であって、前方に向かって開放される椀状に形成されている。ボール受部２９の内径は、ボール部２８の外径と略同じである。
【０１０８】
固定部３０は、着脱部１９の後方部分であって、第１実施形態では、可撓性を有する材料（例えば、ゴムなど）からなる吸盤として構成されている。固定部３０は、吸着面が後方を向くように配置されており、吸着面が後述するガラス窓５１に吸脱着可能に構成されている。また、固定部３０は、その中心が、前後方向において、ボール受部２９の中心と一致するように、ボール受部２９の後端部に接続されている。
【０１０９】
そして、着脱部１９は、ボール受部２９がボール部２８を離脱不能かつボール部２８の周面に沿って移動可能に受け入れることにより、ボール部２８の中心を支点として揺動（首振り）可能に構成されている。つまり、ボール部２８とボール受部２９とはボールジョイントとして機能する。
２．採光装置の使用態様
次に、採光装置１の使用態様について説明する。
【０１１０】
採光装置１は、図６Ａに示すように、窓の一例としてのガラス窓５１を有する家屋５０などの建築物に設置されて使用される。詳しくは、採光装置１は、フレーム２が家屋５０の天井部５３にねじなどにより取り付けられ、家屋５０に設置される。これによって、繰出状態にある光学シート６および第２支持軸１７のそれぞれは、ガラス窓５１の前方に間隔を隔てて対向する。また、揺動機構５の固定部３０は、ガラス窓５１に吸着される。
【０１１１】
これによって、図６Ａ〜図８Ｂに示すように、第２支持軸１７を前後方向に移動させれば、揺動機構５は、光学シート６を、ガラス窓５１に近づくように傾斜する第１傾斜状態（図７Ａ参照）と、ガラス窓５１から離れるように傾斜する第２傾斜状態（図８Ａ参照）との間を連続的に揺動（変位）させる。また、揺動機構５は、光学シート６が第１傾斜状態と第２傾斜状態との間にあるとき、光学シート６の姿勢を維持できる。
【０１１２】
例えば、図６Ａに示すように、光学シート６が上下方向に沿うように、第２支持軸１７とガラス窓５１との間の間隔を調整すれば、揺動機構５は、光学シート６を、第１傾斜状態と第２傾斜状態との中間の状態である基準状態に維持する。なお、固定部３０がガラス窓５１に吸着されていない状態においても、光学シート６は、基準状態となる。
【０１１３】
光学シート６が基準状態にあるとき、太陽光Ｌが、ガラス窓５１を介して、家屋５０外（屋外）から入射すると、太陽光Ｌのうちの一部の光Ｌ１は、透明層９に入射した後、透明層９と空気層１０との境界３８に到達する。そして、一部の光Ｌ１は、境界３８（空気層１０）に反射されて、透明層９から家屋５０の天井部５３に向かって進行する。その後、一部の光Ｌ１は、天井部５３に反射されて、家屋５０内の明るさを向上させる。
【０１１４】
また、図７Ａにおいて仮想線で示すように、光学シート６が基準状態にあるとき、太陽の高度が上昇すると、ガラス窓５１に対する入射角が相対的に大きい太陽光（以下、太陽の高度が相対的に高い場合の太陽光を、太陽光ＬＨとする。）が、家屋５０外（屋外）から入射する。すると、太陽光ＬＨのうちの一部の光Ｌ２は、透明層９に入射した後、その透明層９と下側の空気層１０との境界３８に到達する。そして、一部の光Ｌ２は、境界３８（下側の空気層１０）に反射されて、透明層９内を上側に向かうように進行した後、透明層９と上側の空気層１０との境界３８に到達し、境界３８（上側の空気層１０）に反射されて、下方に向かって進行する。その後、一部の光Ｌ２は、透明層９から家屋５０の床部５２に向かって進行する。
【０１１５】
このような太陽光ＬＨのうちの一部の光Ｌ２を、天井部５３に向かって進行させるには、図６Ｂおよび図７Ｂに示すように、揺動機構５を第１状態として、光学シート６を第１傾斜状態に変位させる。
【０１１６】
揺動機構５を第１状態に移動させるには、固定部３０をガラス窓５１の内面に吸着させた状態で、第２支持軸１７を後方に移動させる。
【０１１７】
すると、伸縮部２０が、ボール部２８を支点として、平面視反時計回り方向に揺動するとともに、進退部２４のピストン部２７が、進退ガイド部２３のシリンダ部２６に収容される。
【０１１８】
これによって、揺動機構５が第１状態となり、揺動機構５は、光学シート６が基準状態にあるときと比較して、第２支持軸１７とガラス窓５１との間の間隔を短くなるように変更する。すると、光学シート６は、図７Ａに示すように、第１支持軸１６（詳しくは、第１支持軸１６に支持される上端部）を支点として、光学シート６の下端部がガラス窓５１に近づくように揺動する。これによって、光学シート６は、実線で示す第１傾斜状態となり、光学シート６とガラス窓５１との間の間隔が変更される。
【０１１９】
また、透明層９と空気層１０との境界３８は、後方から前方に向かうにつれて、下方に向かって傾斜する。つまり、太陽光ＬＨの入射角度に対する、境界３８（空気層１０）の傾きが変更される。
【０１２０】
すると、太陽光ＬＨのうちの一部の光Ｌ２は、透明層９に入射した後、透明層９と空気層１０との境界３８（空気層１０）に反射されて、その進行方向が上側に向かうように変更され、透明層９から家屋５０の天井部５３に向かって進行する。その後、一部の光Ｌ２は、天井部５３に反射されて、家屋５０内の明るさを向上させる。
【０１２１】
一方、図８Ａに仮想線で示すように、光学シート６が基準状態にあるとき、太陽の高度が低下すると、ガラス窓５１に対する入射角が相対的に小さい太陽光（以下、太陽の高度が相対的に低い場合の太陽光を、太陽光ＬＬとする。）が、ガラス窓５１を介して、家屋５０外（屋外）から入射する。すると、太陽光ＬＬのうちの一部の光Ｌ３は、透明層９を直線的に透過して、家屋５０の床部５２に向かって進行する。
【０１２２】
このような太陽光ＬＬのうちの一部の光Ｌ３を、天井部５３に向かって進行させるには、図８Ｂに示すように、揺動機構５を第２状態として、光学シート６を第２傾斜状態に変位させる。
【０１２３】
揺動機構５を第２状態にするには、固定部３０をガラス窓５１の内面に吸着させた状態で、第２支持軸１７を前方に移動させる。
【０１２４】
すると、伸縮部２０が、ボール部２８を支点として、平面視時計回り方向に揺動するとともに、進退部２４のピストン部２７が、進退ガイド部２３のシリンダ部２６から引き出される。
【０１２５】
これによって、揺動機構５が第２状態となり、揺動機構５は、光学シート６が基準状態にあるときと比較して、第２支持軸１７とガラス窓５１との間の間隔を長くなるように変更する。すると、光学シート６は、図８Ａに示すように、第１支持軸１６（詳しくは、第１支持軸１６に支持される上端部）を支点として、光学シート６の下端部がガラス窓５１から離れるように揺動する。これによって、光学シート６は、実線で示す第２傾斜状態となり、光学シート６とガラス窓５１との間の間隔が変更される。
【０１２６】
また、透明層９と空気層１０との境界３８は、後方から前方に向かうにつれて、上方に向かって傾斜する。つまり、太陽光ＬＬの入射角度に対する、境界３８（空気層１０）の傾きが変更される。
【０１２７】
すると、太陽光ＬＬのうちの一部の光Ｌ３は、透明層９に入射した後、透明層９と空気層１０との境界３８（空気層１０）に反射されて、その進行方向が上側に向かうように変更され、透明層９から家屋５０の天井部５３に向かって進行する。その後、一部の光Ｌ３は、天井部５３に反射されて、家屋５０内の明るさを向上させる。
【０１２８】
このような採光装置１は、図６Ａ〜図８Ｂに示すように、揺動機構５を備えている。揺動機構５は、採光装置１が家屋５０に設置された状態で、光学シート６とガラス窓５１との間の間隔を変更するように、光学シート６を変位できる。
【０１２９】
そのため、日中における時刻および日にち（季節）の変化に伴い、太陽の高度が変化しても、その時々の太陽の高度に応じて、光学シート６を、ガラス窓５１に対して好適な位置に自由に変位させることができる。
【０１３０】
その結果、簡易な構成でありながら、太陽の高度が変化しても、効率よく採光でき、家屋５０内の所望する場所の明るさの向上を図ることができる。
【０１３１】
また、揺動機構５は、光学シート６を支持する支持軸３とガラス窓５１との間隔を変更することにより、光学シート６とガラス窓５１との間の間隔を変更する。そのため、光学シート６を、太陽の高度に対応するように、ガラス窓５１に対して好適な位置に安定して変位させることができる。
【０１３２】
また、揺動機構５は、光学シート６を変位するときに、光学シート６の上端部を支点として、光学シート６を揺動させる。そのため、太陽光の入射角度に対する、光学シート６の傾き、ひいては、透明層９と空気層１０との境界３８の傾きを自由に変更することができる。
【０１３３】
その結果、太陽の高度が変化しても、太陽の高度の変化に応じて光学シート６を揺動させることにより、光の進行方向を確実に変更することができ、効率よく安定して採光することができる。
【０１３４】
また、揺動機構５は、光学シート６を変位させるときに、第２支持軸１７とガラス窓５１との間の間隔を変更する。これによって、光学シート６は、第１支持軸１６を支点として揺動し、光学シート６とガラス窓５１との間の間隔が変更される。つまり、光学シート６を、第１支持軸１６を支点として、確実に揺動させることができる。
３．第２実施形態
次に、図９Ａ〜図１０Ｂを参照して、本発明の採光装置の第２実施形態について説明する。なお、第２実施形態では、上記した第１実施形態と同様の部材には同様の符号を付し、その説明を省略する。
【０１３５】
第１実施形態では、図７Ａおよび図８Ａに示すように、変位機構としての揺動機構５のみを備えるが、第２実施形態では、図９Ａに示すように、揺動機構５に加え、変位機構の一例としてのスライド機構６９をさらに備えている。
【０１３６】
スライド機構６９は、図９Ｂおよび図９Ｃに示すように、取付部６５と、１対のレールユニット６６を備えている。
【０１３７】
取付部６５は、幅方向に延びる略角柱形状を有している。
【０１３８】
１対のレールユニット６６は、取付部６５の前面に配置されており、幅方向に互いに間隔を隔てて配置されている。レールユニット６６は、レール６７と、スライド部材６８とを備えている。
【０１３９】
レール６７は、図９Ｃに示すように、幅方向の内方に向かって開放されるＣ字状に形成され、前後方向に延びている。レール６７の前端部は、取付部６５の幅方向の端部に固定されている。
【０１４０】
スライド部材６８は、上下前後方向に延びる略平板状に形成されている。スライド部材６８の前後方向の寸法は、レール６７の前後方向の寸法と略同じである。そして、スライド部材６８は、レール６７内に前後方向にスライド移動可能に収容されている。なお、スライド部材６８は、図示しない規制部により、レール６７からの離脱が規制されている。
【０１４１】
また、スライド部材６８は、図９Ｂに示すように、第１支持軸１６の幅方向の端部を相対回転不能に支持している。
【０１４２】
そのため、第１支持軸１６に支持される光学シート６の上端部は、図９Ａおよび図１０Ａに示すように、スライド部材６８のスライド移動に伴って、前後方向に移動可能である。また、光学シート６は、第１支持軸１６が回転不能であるので、第１支持軸１６から、常に垂れ下がっている。
【０１４３】
このような採光装置１は、図９Ａに示すように、光学シート６がガラス窓５１の内方に間隔を隔てて対向するように、ガラス窓５１を有する壁部５４に取り付けられている。詳しくは、取付部６５が、壁部５４におけるガラス窓５１の上方周縁にねじなどにより取り付けられている。また、揺動機構５の固定部３０は、第１実施形態と同様に、ガラス窓５１に吸着される。
【０１４４】
そして、スライド機構６９は、第１支持軸１６が、壁部５４におけるガラス窓５１の上方周縁部に対して、相対的に近傍に配置する近傍状態と、図１０Ａに示すように、第１支持軸１６が、壁部５４におけるガラス窓５１の上方周縁部から、相対的に離れる遠方状態との間を連続的にスライド移動（変位）される。これによって、光学シート６の上端部がスライド移動され、光学シート６とガラス窓５１との間の間隔が変更される。なお、スライド機構６９は、近傍状態と遠方状態との間において、その姿勢を適宜維持できる。
【０１４５】
詳しくは、図９Ｂに示すように、レールユニット６６のスライド部材６８の全体が、レール６７内に収容されると、第１支持軸１６が、壁部５４におけるガラス窓５１の上方周縁部に対して、相対的に近く配置され、スライド機構６９は、近傍状態に配置される。
【０１４６】
スライド機構６９が近傍状態にあるとき、図９Ａに実線で示すように、例えば、太陽の高度が相対的に低い場合の太陽光ＬＬが、ガラス窓５１を介して、家屋５０外（屋外）から入射すると、太陽光ＬＬのうちの一部の光Ｌ３は、透明層９に入射した後、透明層９と空気層１０との境界３８に反射されて、透明層９から家屋５０の天井部５３に向かって進行する。その後、一部の光Ｌ３は、天井部５３に反射されて、家屋５０内の明るさを向上させる。
【０１４７】
一方、スライド機構６９が近傍状態にあるとき、図９Ａに仮想線で示すように、例えば、太陽の高度が相対的に高い場合の太陽光ＬＨが、ガラス窓５１を介して、家屋５０外（屋外）から入射すると、太陽光ＬＨのうちの一部の光Ｌ２は、透明層９に入射した後、その透明層９と下側の空気層１０との境界３８に到達する。そして、一部の光Ｌ２は、境界３８（下側の空気層１０）に反射されて、透明層９内を上側に向かうように進行した後、透明層９と上側の空気層１０との境界３８に到達し、境界３８（上側の空気層１０）に反射されて、下方に向かって進行する。その後、一部の光Ｌ２は、透明層９から家屋５０の床部５２に向かって進行する。
【０１４８】
このような太陽光ＬＨのうちの一部の光Ｌ２を、天井部５３に向かって進行させるには、図１０Ａおよび図１０Ｂに示すように、スライド機構６９を近傍状態から遠方状態に変位させる。
【０１４９】
スライド機構６９を、近傍状態から遠方状態に変位させるには、スライド部材６８の全体（後端部を除く）をレール６７から引き出す。すると、第１支持軸１６が、壁部５４におけるガラス窓５１の上方周縁部から離れるように移動し、光学シート６は、第２支持軸１７を支点として、ガラス窓５１から離れるように揺動する。
【０１５０】
これによって、スライド機構６９は、遠方状態に配置され、光学シート６とガラス窓５１との間の間隔は、スライド機構６９が近傍状態にあるときと比較して大きくなるように変更される。そのため、太陽光の入射角度に対する光学シート６の傾き（光学シート６に対する太陽光の入射角度）が変更される。
【０１５１】
スライド機構６９が遠方状態にあるとき、図１０Ａに実線で示すように、例えば、太陽の高度が相対的に高い場合の太陽光ＬＨが、ガラス窓５１を介して、家屋５０外（屋外）から入射すると、太陽光ＬＨのうちの一部の光Ｌ２は、透明層９に入射した後、その透明層９と下側の空気層１０との境界３８に到達する。そして、一部の光Ｌ２は、透明層９と空気層１０との境界３８に反射されて、透明層９から家屋５０の天井部５３に向かって進行する。その後、一部の光Ｌ２は、天井部５３に反射されて、家屋５０内の明るさを向上させる。
【０１５２】
なお、スライド機構６９が遠方状態にあるとき、図１０Ａに仮想線で示すように、例えば、太陽の高度が相対的に低い場合の太陽光ＬＬが、ガラス窓５１を介して、家屋５０外（屋外）から入射すると、太陽光ＬＬのうちの一部の光Ｌ３は、透明層９を直線的に透過して、家屋５０の床部５２に向かって進行する。
【０１５３】
この場合、図９Ａに示すように、スライド機構６９を遠方状態から近傍状態へ変位させることにより、太陽光ＬＬのうちの一部の光Ｌ３を、家屋５０の天井部５３に向かって進行させることができる。
【０１５４】
このような第２実施形態によれば、スライド機構６９は、図９Ａ〜図１０Ｂに示すように、光学シート６を変位させるときに、光学シート６の上端部をスライド移動させる。そのため、光学シート６のスライド方向、すなわち前後方向において、光学シート６とガラス窓５１との相対的な位置関係を確実に変更することができ、太陽光の入射角度に対する、光学シート６の傾きを確実に変更することができる。
【０１５５】
その結果、太陽の高度が変化しても、太陽の高度の変化に応じて光学シート６の上端部をスライド移動させることにより、光学シート６をガラス窓５１に対して好適な位置に自由に配置でき、家屋５０内の所望する場所の明るさの向上を確実に図ることができる。つまり、上記した第１実施形態と同様の作用効果を奏することができる。
【０１５６】
また、スライド機構６９は、図９Ａおよび図１０Ａに示すように、光学シート６を変位させるときに、第１支持軸１６と、壁部５４におけるガラス窓５１の上方周縁部との間の間隔を変更する。これによって、光学シート６の上端部はスライド移動する。そのため、光学シート６とガラス窓５１との間の間隔を確実に変更できる。
【０１５７】
なお、第２実施形態において、採光装置１は、揺動機構５に代えて、固定部３０のみを備えていてもよい。この場合、固定部３０は、第２支持軸１７の幅方向の略中央に設けられる。そして、固定部３０をガラス窓５１に吸着させることにより、第２支持軸１７のガラス窓５１に対する相対移動が規制される。
【０１５８】
そのため、スライド機構６９を近傍状態と遠方状態との間を移動させることにより、光学シート６を、第２支持軸１７を支点として揺動させることができる。その結果、光学シート６とガラス窓５１との間の間隔を適宜変更することができ、太陽光の入射角度に対する、光学シート６の傾き（光学シート６に対する太陽光の入射角度）を確実に変更することができる。
【０１５９】
しかし、採光装置１は、第２実施形態のように、揺動機構５およびスライド機構６９を備えていることが好ましい。
【０１６０】
採光装置１が揺動機構５およびスライド機構６９を備えていれば、スライド機構６９を変位させることにより、光学シート６とガラス窓５１との間の間隔を適宜変更することができるとともに、揺動機構５を変位させることにより、光学シート６とガラス窓５１との間の間隔を微調整することができる。そのため、太陽の高度に対応して、光学シート６をガラス窓５１に対して好適な位置により一層確実に変位させることができる。
４．第３実施形態および第４実施形態
次に、図１１Ａおよび図１１Ｂを参照して、本発明の採光装置の第３実施形態および第４実施形態について説明する。なお、第３実施形態および第４実施形態では、上記した第１実施形態と同様の部材には同様の符号を付し、その説明を省略する。
【０１６１】
第１実施形態では、図５に示すように、光学シート６の採光層７は、複数の空気層１０を備えているが、第３実施形態では、図１１Ｂに示すように、光学シート６の採光層７は、複数の空気層１０に代えて、複数の低屈折層６０を備えている。
【０１６２】
なお、第３実施形態では、採光層７は、透明層９および低屈折層６０のみからなり、透明層９と低屈折層６０とは、上下方向において、連続するように順次繰り返して配置されている。
【０１６３】
複数の低屈折層６０は、上下方向に互いに間隔（透明層９）を隔てて並列配置されている。複数の低屈折層６０のそれぞれは、複数の透明層９において互いに隣り合う透明層９の間に配置され、採光層７の幅方向の全体にわたって延びる薄膜状に形成されている。
【０１６４】
低屈折層６０は、透明層９よりも屈折率が小さくなるように構成されている。低屈折層６０の相対屈折率は、空気の屈折率に対して、例えば、１．２０以上、好ましくは、１．３４以上、例えば、１．９０以下、好ましくは、１．８０以下であり、透明層９の屈折率に対して、例えば、０．０５以上、好ましくは、０．１以上、例えば、０．５以下、好ましくは、０．３以下である。なお、屈折率は、プリズムカプラにより測定することができる。
【０１６５】
低屈折層６０は、加工の容易性の観点から好ましくは、透明の樹脂材料から形成される。透明の樹脂材料としては、例えば、フッ素系樹脂、シリコーン樹脂などが挙げられる。
【０１６６】
このような透明の樹脂材料のなかでは、好ましくは、フッ素系樹脂が挙げられる。より詳しくは、透明層９がポリプロピレンから形成される場合、低屈折層６０は、フッ素系樹脂から形成されることが好ましい。
【０１６７】
このような透明の樹脂材料は、単独で使用してもよく、２種以上併用することもできる。
【０１６８】
このような低屈折層６０の上下方向の寸法は、透明層９の上下方向の寸法よりも小さく、例えば、０．１μｍ以上、好ましくは、１μｍ以上、例えば、５０μｍ以下、好ましくは、１０μｍ以下である。また、低屈折層６０の上下方向の寸法は、透明層９の上下方向の寸法に対して、例えば、１／５０００以上、好ましくは、１／２００以上、例えば、１／２以下、好ましくは、１／１０以下である。また、低屈折層６０の前後方向の寸法は、透明層９の前後方向の寸法と同様である。
【０１６９】
また、低屈折層６０の光透過率は、低屈折層６０の厚みが１００μｍの場合に、波長４４０〜６００ｎｍの光に対して、例えば、６０％以上、好ましくは、８０％以上、さらに好ましくは、９０％以上であり、例えば、９８％以下である。
【０１７０】
このような光学シート６を製造するには、図１１Ａに示すように、透明層９と低屈折層６０とを備える単位フィルム３７を複数枚調製する。
【０１７１】
このような単位フィルム３７を調製する方法としては、例えば、透明層９の表面（厚み方向の一方面）に低屈折層６０を配置して、加工シートを調製した後、その加工シートから所定の形状の単位フィルム３７を切り出す方法や、所定の形状に加工した透明層９の表面に低屈折層６０を配置して、単位フィルム３７とする方法などが挙げられる。
【０１７２】
透明層９の表面に低屈折層６０を配置する方法としては、例えば、公知の成膜方法により、透明層９の表面に低屈折層６０を成膜する方法や、共押し出し法により、透明層９と低屈折層６０とを同時に形成する方法が挙げられる。
【０１７３】
このような透明層９の表面に低屈折層６０を配置する方法のなかでは、好ましくは、公知の成膜方法が挙げられ、より具体的には、ドライプロセス、ウェットプロセスなどが挙げられ、好ましくは、ウェットプロセスが挙げられる。
【０１７４】
次いで、複数の単位フィルム３７を、透明層９と低屈折層６０とが積層方向に互いに隣り合うように、複数の単位フィルム３７のそれぞれを厚み方向に積層する。
【０１７５】
このような積層体３１では、積層方向に互いに隣接する単位フィルム３７の間（透明層９と低屈折層６０との間）において、接着剤層を設けてもよく、また、接着剤層を設けなくてもよい。積層方向に互いに隣接する単位フィルム３７の間に接着剤層を設けない場合、積層体３１は、熱圧着（加熱プレス）される。
【０１７６】
以上によって、積層方向に延びる柱状（ブロック状）の積層体３１が形成される。
【０１７７】
次いで、図３および図４に示すように、第１実施形態と同様にして、積層体３１の側面３２（積層方向に沿って延びる表面）に、積層方向に沿うように支持体８を貼り付けた後、支持体８が貼り付けられた積層体３１の側面層３３を、複数の単位フィルム３７が積層体３１の積層方向に並列するように切断する。積層体３１の側面層３３を切断する切断方法としては、第１実施形態と同様の方法が挙げられる。
【０１７８】
これによって、図１１Ｂに示すように、一方面に支持体８が貼り付けられた採光層７が、積層体３１から長尺かつ平帯状に切り出される。続いて、採光層７の他方面にも支持体８を貼り付ける。以上によって、光学シート６が調製される。
【０１７９】
このような光学シート６を備える採光装置１によっても、低屈折層６０が、屋外からの光（太陽光Ｌ、ＬＨおよびＬＬ）の一部の光を反射する。そのため、このような第３実施形態においても、上記した第１実施形態と同様の作用効果を奏することができる。
【０１８０】
また、第４実施形態では、図１１Ｂに示すように、光学シート６の採光層７は、複数の空気層１０に代えて、複数の金属層６１を備えている。
【０１８１】
なお、第４実施形態では、採光層７は、透明層９および金属層６１のみからなり、透明層９と金属層６１とは、上下方向において、連続するように順次繰り返して配置されている。
【０１８２】
複数の金属層６１は、上下方向に互いに間隔（透明層９）を隔てて並列配置されている。複数の金属層６１のそれぞれは、複数の透明層９において互いに隣り合う透明層９の間に配置され、採光層７の幅方向の全体にわたって延びる薄膜状に形成されている。
【０１８３】
金属層６１は、光を反射するように構成されており、金属材料から薄膜状に形成されている。金属層６１を形成する金属材料としては、例えば、金属元素（例えば、金、銀、銅、鉄、アルミニウム、クロム、ニッケルなど）や、複数の金属元素からなる合金などが挙げられ、好ましくは、銀、アルミニウムおよびそれらを含有する合金が挙げられ、さらに好ましくは、アルミニウムが挙げられる。このような金属材料は、単独の薄膜として使用してもよく、２種以上の薄膜を積層することもできる。
【０１８４】
このような金属層６１の上下方向の寸法は、光が十分に反射可能であれば、特に制限されないが、例えば、２０ｎｍ以上、好ましくは、３０ｎｍ以上、例えば、１０μｍ（１０4ｎｍ）以下、好ましくは、１μｍ（１０3ｎｍ）以下、さらに好ましくは、３００ｎｍ以下である。また、金属層６１の上下方向の寸法は、透明層９の上下方向の寸法に対して、例えば、１／１０００００以上、好ましくは、１／２０００以上、例えば、１／１０以下、好ましくは、１／１００以下である。また、金属層６１の前後方向の寸法は、透明層９の前後方向の寸法と同様である。
【０１８５】
また、金属層６１の反射率（入射角５°）は、波長４４０〜６００ｎｍの光に対して、例えば、７０％以上、好ましくは、８０％以上、例えば、９８％以下、好ましくは、９５％以下である。
【０１８６】
このような光学シート６を製造するには、図１１Ａに示すように、透明層９と金属層６１とを備える単位フィルム３７を複数枚調製する。
【０１８７】
このような単位フィルム３７を調製する方法としては、例えば、透明層９の表面（厚み方向の一方面）に金属層６１を配置して、加工シートを調製した後、その加工シートから所定の形状の単位フィルム３７を切り出す方法や、所定の形状に加工した透明層９の表面に金属層６１を配置して、単位フィルム３７とする方法などが挙げられる。
【０１８８】
透明層９の表面に金属層６１を配置する方法としては、例えば、透明層９と金属層６１とを別途調整して、それらを積層する方法、透明層９の表面に金属層６１を形成する方法などが挙げられ、好ましくは、透明層９の表面に金属層６１を形成する方法が挙げられる。
【０１８９】
透明層９の表面に金属層６１を形成する方法としては、例えば、公知の成膜方法により、透明層９の表面に金属層６１を成膜する方法が挙げられる。このような公知の成膜方法としては、例えば、ドライプロセス、ウェットプロセスなどが挙げられ、好ましくは、ドライプロセスが挙げられる。
【０１９０】
次いで、複数の単位フィルム３７を、透明層９と金属層６１とが積層方向に互いに隣り合うように、複数の単位フィルム３７のそれぞれを厚み方向に積層する。
【０１９１】
このような積層体３１では、積層方向に互いに隣接する単位フィルム３７の間（透明層９と金属層６１と間）において、接着剤層を設けてもよく、また、接着剤層を設けなくてもよい。積層方向に互いに隣接する単位フィルム３７の間（透明層９と金属層６１と間）に接着剤層を設けない場合、積層体３１は、熱圧着（加熱プレス）される。
【０１９２】
以上によって、積層方向に延びる柱状（ブロック状）の積層体３１が形成される。
【０１９３】
次いで、図３および図４に示すように、第１実施形態と同様にして、積層体３１の側面３２（積層方向に沿って延びる表面）に、積層方向に沿うように支持体８を貼り付けた後、支持体８が貼り付けられた積層体３１の側面層３３を、複数の単位フィルム３７が積層体３１の積層方向に並列するように切断する。積層体３１の側面層３３を切断する切断方法としては、第１実施形態と同様の方法が挙げられる。
【０１９４】
これによって、図１１Ｂに示すように、一方面に支持体８が貼り付けられた採光層７が、積層体３１から長尺かつ平帯状に切り出される。続いて、採光層７の他方面にも支持体８を貼り付ける。以上によって、光学シート６が調製される。
【０１９５】
このような光学シート６を備える採光装置１によっても、金属層６１が、屋外からの光（太陽光Ｌ、ＬＨおよびＬＬ）の一部の光を反射する。そのため、このような第４実施形態においても、上記した第１実施形態と同様の作用効果を奏することができる。
５．変形例
（１）上記の第１実施形態では、揺動機構５の固定部３０は、図７Ｂに示すように、吸盤状に構成され、ガラス窓５１の内面に吸着し固定されるが、固定部３０が固定される部分は、特に制限されない。
【０１９６】
例えば、固定部３０は、壁部５４におけるガラス窓５１の周縁部、天井部５３、梁などに固定されることもできる。
【０１９７】
また、固定部３０の構成は、ガラス窓５１、壁部５４におけるガラス窓５１の周縁部、天井部５３、梁などに固定できれば、特に限定されない。例えば、固定部３０は、吸盤、メカニカルファスナー（マジックテープ）、磁石、フックなどから構成することもできる。なお、固定部３０が、ガラス窓５１に固定される場合、吸着性の観点から、吸盤であることが好ましい。
（２）また、上記の第１実施形態では、採光装置１が、図６Ａに示すように、家屋５０の天井部５３に設置されるが、採光装置１の設置場所は、特に制限されない。
【０１９８】
例えば、採光装置１は、壁部５４におけるガラス窓５１の周縁部、梁などに設置することもできる。
（３）また、上記の第１実施形態では、１つの揺動機構５が、図１に示すように、第２支持軸１７の幅方向の略中央に接続されるが、揺動機構５の個数および配置は、光学シート６を変位させることができれば、特に制限されない。
【０１９９】
例えば、揺動機構５を、第２支持軸１７の幅方向両端部のそれぞれに１つずつ設けることもできる。この場合、太陽の高度に応じて、光学シート６を、ガラス窓５１に対して好適な位置により一層確実に変位させることができる。
（４）また、上記の第２実施形態では、スライド部材６８が、第１支持軸１６を相対回転不能に支持するが、スライド部材６８は、第１支持軸１６を相対回転可能に支持することもできる。この場合、第２実施形態においても、光学シート６は、第１支持軸１６が回転することにより、収納状態（図示せず）と繰出状態とに移動するように構成される。
（５）また、光学シート６は、透過する光の少なくとも一部の進行方向を変更できれば、特に制限されない。採光装置１は、例えば、上記の第１実施形態〜第４実施形態の光学シート６に代えて、特開２０１２−２５５９５１号公報に記載の採光シートを備えることもできる。
【０２００】
このような変形例によっても、上記した第１実施形態〜第４実施形態と同様の作用効果を奏することができる。なお、これら第１実施形態〜第４実施形態および変形例のそれぞれは、適宜組み合わせることができる。
【符号の説明】
【０２０１】
１      採光装置
３      支持軸
５      揺動機構
６      光学シート
１６    第１支持軸
１７    第２支持軸
５０    家屋
５１    ガラス窓
６９    スライド機構
【図１】
2015185464.tif 000003
【図２】
2015185464.tif 000004
【図３】
2015185464.tif 000005
【図４】
2015185464.tif 000006
【図５】
2015185464.tif 000007
【図６】
2015185464.tif 000008
【図７】
2015185464.tif 000009
【図８】
2015185464.tif 000010
【図９】
2015185464.tif 000011
【図１０】
2015185464.tif 000012
【図１１】
2015185464.tif 000013